(57)【要約】      （修正有）【課題】広角化高変倍化を達成しながら、レンズ全系が小型化で、収納時に薄型であり、優れた光学性能を有するズームレンズ系を提供する。【解決手段】物体側から順に、正の第１レンズ群Ｇ１、負の第２レンズ群Ｇ２、正の第３レンズ群Ｇ３、及び正の第４レンズ群Ｇ４からなり、ワイド端からテレ端への変倍に際し、第１レンズ群ないし第４レンズ群の全てのレンズ群が移動し、次の条件式（１）及び（２）を満足する。（１）０．７５＜ｆｔ／ｆ１＜１．１７、（２）１．７＜ｍ２ｔ／ｍ２ｗ＜３．２、ｆｔ：長焦点距離端における全系の焦点距離、ｆ１：第１レンズ群の焦点距離、ｍ２ｔ：長焦点距離端における無限遠合焦時の第２レンズ群の横倍率、ｍ２ｗ：短焦点距離端における無限遠合焦時の第２レンズ群の横倍率。【選択図】図１
2014137524.tif 000002
【特許請求の範囲】
【請求項１】
物体側から順に、正の屈折力の第１レンズ群、負の屈折力の第２レンズ群、正の屈折力の第３レンズ群、及び正の屈折力の第４レンズ群からなり、短焦点距離端から長焦点距離端への変倍に際し、第１レンズ群ないし第４レンズ群の全てのレンズ群が移動するズームレンズ系において、次の条件式（１）及び（２）を満足することを特徴とするズームレンズ系。
（１）０．７５＜ｆｔ／ｆ１＜１．１７
（２）１．７＜ｍ２ｔ／ｍ２ｗ＜３．２
但し、
ｆｔ：長焦点距離端における全系の焦点距離、
ｆ１：第１レンズ群の焦点距離、
ｍ２ｔ：長焦点距離端における無限遠合焦時の第２レンズ群の横倍率、
ｍ２ｗ：短焦点距離端における無限遠合焦時の第２レンズ群の横倍率。
【請求項２】
請求項１記載のズームレンズ系において、次の条件式（３）を満足するズームレンズ系。
（３）−６．０＜ｆ１／ｆ２＜−４．０
但し、
ｆ１：第１レンズ群の焦点距離、
ｆ２：第２レンズ群の焦点距離。
【請求項３】
請求項１または２記載のズームレンズ系において、次の条件式（４）を満足するズームレンズ系。
（４）−３．４＜ｆ２／｛（Ｄ１２ｔ−Ｄ１２ｗ）／（ｆｔ／ｆｗ）｝＜−２．８
但し、
ｆ２：第２レンズ群の焦点距離、
Ｄ１２ｔ：長焦点距離端における第１レンズ群と第２レンズ群の空気間隔、
Ｄ１２ｗ：短焦点距離端における第１レンズ群と第２レンズ群の空気間隔、
ｆｔ：長焦点距離端における全系の焦点距離、
ｆｗ：短焦点距離端における全系の焦点距離。
【請求項４】
請求項１ないし３のいずれか１項記載のズームレンズ系において、第１レンズ群は、物体側から順に、負レンズ及び正レンズからなり、次の条件式（５）及び（６）を満足するズームレンズ系。
（５）ｎ１２＞１．５５
（６）３０＜ν１２−ν１１＜５０
但し、
ｎ１２：第１レンズ群中の正レンズのｄ線に対する屈折率、
ν１２：第１レンズ群中の正レンズのｄ線に対するアッベ数、
ν１１：第１レンズ群中の負レンズのｄ線に対するアッベ数。
【請求項５】
請求項４記載のズームレンズ系において、第１レンズ群中の正レンズは少なくとも一方の面が非球面からなるズームレンズ系。
【請求項６】
請求項１ないし５のいずれか１項記載のズームレンズ系において、第３レンズ群は、物体側から順に、少なくとも一方の面が非球面からなる正レンズ、及び少なくとも一方の面が非球面からなる負レンズからなり、次の条件式（７）及び（８）を満足するズームレンズ系。
（７）２．８＜ｍ３ｔ／ｍ３ｗ＜３．５
（８）ν３１−ν３２＞４７
但し、
ｍ３ｔ：長焦点距離端における無限遠合焦時の第３レンズ群の横倍率、
ｍ３ｗ：短焦点距離端における無限遠合焦時の第３レンズ群の横倍率、
ν３１：第３レンズ群中の正レンズのｄ線に対するアッベ数、
ν３２：第３レンズ群中の負レンズのｄ線に対するアッベ数。
【請求項７】
請求項６記載のズームレンズ系において、第２レンズ群は、物体側から順に、負レンズ、負レンズ及び正レンズからなり、第２レンズ群中の正レンズ及び第３レンズ群中の負レンズはプラスチックレンズからなり、次の条件式（９）を満足するズームレンズ系。
（９）−１．２＜ｆ２ｐ／ｆ３ｐ＜−０．８
但し、
ｆ２ｐ：第２レンズ群中の正プラスチックレンズの焦点距離、
ｆ３ｐ：第３レンズ群中の負プラスチックレンズの焦点距離。
【請求項８】
請求項１ないし７のいずれか１項記載のズームレンズ系において、第４レンズ群は正単レンズからなり、この正単レンズはフォーカシング時に移動するフォーカシングレンズであるズームレンズ系。
【発明の詳細な説明】
【技術分野】
【０００１】
本発明は、ズームレンズ系に関する。
【背景技術】
【０００２】
特許文献１−４には、半画角３５度以上の広角化と１０倍程度の高変倍化を狙ったズームレンズ系として、物体側から順に、正の屈折力の第１レンズ群、負の屈折力の第２レンズ群、正の屈折力の第３レンズ群、及び正の屈折力の第４レンズ群からなる４群構成のものが開示されている。
【０００３】
特許文献１、２のズームレンズ系は、特に長焦点距離端でのレンズ全長を抑えるために第１レンズ群のパワーを比較的強く設定し、それにより生じる色収差を補正するために第１レンズ群を３枚のレンズで構成している。しかし、比較的大きな第１レンズ群のレンズ枚数が増えることで、第１レンズ群自体が大きくなって特に収納時の薄型化が難しくなり、コストアップも避けられない。
【０００４】
特許文献３のズームレンズ系は、第１レンズ群のパワーを比較的強くしつつ、かつ２枚のレンズで構成することで薄型化を実現しているが、色収差やコマ収差等の諸収差を適切に補正できず、光学性能の点で不十分である。
【０００５】
特許文献４のズームレンズ系は、コストダウンを実現するために第２レンズ群と第３レンズ群に各１枚のプラスチックレンズを含ませて、これらプラスチックレンズのパワーを適切に設定することで、温度変化時のピントずれを抑えている。しかし、第１レンズ群の変倍移動量が大きすぎて、第１レンズ群ひいてはレンズ全系が大型化してしまう。
【０００６】
そして特許文献１−４のいずれのズームレンズ系も、長焦点距離端における全系の焦点距離に対する第１レンズ群の焦点距離（パワーバランス）が不適切であるため、色収差が過剰補正となって光学性能が劣化し、第１レンズ群ひいてはレンズ全系が大型化してしまう。また、短焦点距離端から長焦点距離端への変倍に際する第２レンズ群の横倍率の変化、すなわち第２レンズ群が受け持つ変倍負担が大きすぎるため、コマ収差が補正困難となって光学性能が劣化してしまう。
【先行技術文献】
【特許文献】
【０００７】
【特許文献１】特開２０１１−１０２８９４号公報
【特許文献２】特開２０１２−６３５８６号公報
【特許文献３】特開２０１２−１１３２９６号公報
【特許文献４】特開２０１２−２２０８７３号公報
【発明の概要】
【発明が解決しようとする課題】
【０００８】
本発明は、以上の問題意識に基づいて完成されたものであり、半画角３５度以上の広角化と７〜１０倍程度の高変倍化を達成しながら、第１レンズ群ひいてはレンズ全系を小型化することで収納時の薄型化とコストダウンを図るとともに、色収差やコマ収差等の諸収差を良好に補正して優れた光学性能を得ることができるズームレンズ系を得ることを目的とする。
【課題を解決するための手段】
【０００９】
本発明のズームレンズ系は、物体側から順に、正の屈折力の第１レンズ群、負の屈折力の第２レンズ群、正の屈折力の第３レンズ群、及び正の屈折力の第４レンズ群からなり、短焦点距離端から長焦点距離端への変倍に際し、第１レンズ群ないし第４レンズ群の全てのレンズ群が移動するズームレンズ系において、次の条件式（１）及び（２）を満足することを特徴としている。
（１）０．７５＜ｆｔ／ｆ１＜１．１７
（２）１．７＜ｍ２ｔ／ｍ２ｗ＜３．２
但し、
ｆｔ：長焦点距離端における全系の焦点距離、
ｆ１：第１レンズ群の焦点距離、
ｍ２ｔ：長焦点距離端における無限遠合焦時の第２レンズ群の横倍率、
ｍ２ｗ：短焦点距離端における無限遠合焦時の第２レンズ群の横倍率、
である。
【００１０】
本発明のズームレンズ系は、次の条件式（３）を満足することが好ましい。
（３）−６．０＜ｆ１／ｆ２＜−４．０
但し、
ｆ１：第１レンズ群の焦点距離、
ｆ２：第２レンズ群の焦点距離、
である。
【００１１】
本発明のズームレンズ系は、次の条件式（４）を満足することが好ましい。
（４）−３．４＜ｆ２／｛（Ｄ１２ｔ−Ｄ１２ｗ）／（ｆｔ／ｆｗ）｝＜−２．８
但し、
ｆ２：第２レンズ群の焦点距離、
Ｄ１２ｔ：長焦点距離端における第１レンズ群と第２レンズ群の空気間隔、
Ｄ１２ｗ：短焦点距離端における第１レンズ群と第２レンズ群の空気間隔、
ｆｔ：長焦点距離端における全系の焦点距離、
ｆｗ：短焦点距離端における全系の焦点距離、
である。
【００１２】
本発明のズームレンズ系は、第１レンズ群を、物体側から順に、負レンズ及び正レンズから構成し、次の条件式（５）及び（６）を満足することが好ましい。
（５）ｎ１２＞１．５５
（６）３０＜ν１２−ν１１＜５０
但し、
ｎ１２：第１レンズ群中の正レンズのｄ線に対する屈折率、
ν１２：第１レンズ群中の正レンズのｄ線に対するアッベ数、
ν１１：第１レンズ群中の負レンズのｄ線に対するアッベ数、
である。
【００１３】
第１レンズ群中の正レンズは、少なくとも一方の面を非球面とすることが好ましい。
【００１４】
本発明のズームレンズ系は、第３レンズ群を、物体側から順に、少なくとも一方の面が非球面からなる正レンズ、及び少なくとも一方の面が非球面からなる負レンズから構成し、次の条件式（７）及び（８）を満足することが好ましい。
（７）２．８＜ｍ３ｔ／ｍ３ｗ＜３．５
（８）ν３１−ν３２＞４７
但し、
ｍ３ｔ：長焦点距離端における無限遠合焦時の第３レンズ群の横倍率、
ｍ３ｗ：短焦点距離端における無限遠合焦時の第３レンズ群の横倍率、
ν３１：第３レンズ群中の正レンズのｄ線に対するアッベ数、
ν３２：第３レンズ群中の負レンズのｄ線に対するアッベ数、
である。
【００１５】
本発明のズームレンズ系は、第２レンズ群を、物体側から順に、負レンズ、負レンズ及び正レンズから構成し、第２レンズ群中の正レンズ及び第３レンズ群中の負レンズをプラスチックレンズから構成し、次の条件式（９）を満足することが好ましい。
（９）−１．２＜ｆ２ｐ／ｆ３ｐ＜−０．８
但し、
ｆ２ｐ：第２レンズ群中の正プラスチックレンズの焦点距離、
ｆ３ｐ：第３レンズ群中の負プラスチックレンズの焦点距離、
である。
【００１６】
本発明のズームレンズ系は、第４レンズ群を正単レンズから構成し、この正単レンズをフォーカシング時に移動するフォーカシングレンズとすることが好ましい。
【発明の効果】
【００１７】
本発明によれば、半画角３５度以上の広角化と７〜１０倍程度の高変倍化を達成しながら、第１レンズ群ひいてはレンズ全系を小型化することで収納時の薄型化とコストダウンを図るとともに、色収差やコマ収差等の諸収差を良好に補正して優れた光学性能を得ることができるズームレンズ系が得られる。
【図面の簡単な説明】
【００１８】
【図１】本発明によるズームレンズ系の数値実施例１の長焦点距離端における無限遠合焦時のレンズ構成図である。
【図２】図１の構成における諸収差図である。
【図３】同数値実施例１の短焦点距離端における無限遠合焦時のレンズ構成図である。
【図４】図３の構成における諸収差図である。
【図５】本発明によるズームレンズ系の数値実施例２の長焦点距離端における無限遠合焦時のレンズ構成図である。
【図６】図５の構成における諸収差図である。
【図７】同数値実施例２の短焦点距離端における無限遠合焦時のレンズ構成図である。
【図８】図７の構成における諸収差図である。
【図９】本発明によるズームレンズ系の数値実施例３の長焦点距離端における無限遠合焦時のレンズ構成図である。
【図１０】図９の構成における諸収差図である。
【図１１】同数値実施例３の短焦点距離端における無限遠合焦時のレンズ構成図である。
【図１２】図１１の構成における諸収差図である。
【図１３】本発明によるズームレンズ系の数値実施例４の長焦点距離端における無限遠合焦時のレンズ構成図である。
【図１４】図１３の構成における諸収差図である。
【図１５】同数値実施例４の短焦点距離端における無限遠合焦時のレンズ構成図である。
【図１６】図１５の構成における諸収差図である。
【図１７】本発明によるズームレンズ系の数値実施例５の長焦点距離端における無限遠合焦時のレンズ構成図である。
【図１８】図１７の構成における諸収差図である。
【図１９】同数値実施例５の短焦点距離端における無限遠合焦時のレンズ構成図である。
【図２０】図１９の構成における諸収差図である。
【図２１】本発明によるズームレンズ系のズーム軌跡を示す簡易移動図である。
【発明を実施するための形態】
【００１９】
本実施形態のズームレンズ系は、全数値実施例１−５を通じて、図２１の簡易移動図に示すように、物体側から順に、正の屈折力の第１レンズ群Ｇ１、負の屈折力の第２レンズ群Ｇ２、正の屈折力の第３レンズ群Ｇ３、及び正の屈折力の第４レンズ群Ｇ４からなる。第２レンズ群Ｇ２と第３レンズ群Ｇ３の間に位置する絞りＳは、第３レンズ群Ｇ３と一体に移動する。Ｉは像面である。
【００２０】
本実施形態のズームレンズ系は、全数値実施例１−５を通じて、短焦点距離端（Ｗｉｄｅ）から長焦点距離端（Ｔｅｌｅ）への変倍（ズーミング）に際し、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が増大するように、第１レンズ群Ｇ１ないし第４レンズ群Ｇ４の全てのレンズ群が移動する。
【００２１】
より具体的には、短焦点距離端から長焦点距離端への変倍に際し、第１レンズ群Ｇ１は単調に物体側に移動し、第２レンズ群Ｇ２は一旦像側に移動してから若干量だけ物体側に戻る（Ｕターンする）ようにして結果的に像側に移動し、第３レンズ群Ｇ３は単調に物体側に移動し、第４レンズ群Ｇ４は一旦物体側に移動してから像側に戻る（Ｕターンする）。第４レンズ群Ｇ４は、短焦点距離端から長焦点距離端への変倍に際し、結果的に像側に移動する態様（数値実施例１−３、５）と、結果的に物体側に移動する態様（数値実施例４）が可能である。
【００２２】
第１レンズ群Ｇ１は、全数値実施例１−５を通じて、物体側から順に、負レンズ１１及び正レンズ１２からなる。正レンズ１２は、数値実施例１、４ではその両面が非球面からなり、数値実施例２、３、５ではその両面が球面からなる（非球面ではない）。但し、正レンズ１２の物体側と像側のいずれか一方の面のみを非球面とする態様も可能である。
【００２３】
第２レンズ群Ｇ２は、全数値実施例１−５を通じて、物体側から順に、負レンズ２１、負レンズ２２、及び正レンズ２３からなる。正レンズ２３はその両面が非球面のプラスチックレンズからなる。但し、正プラスチックレンズ２３の物体側と像側のいずれか一方の面のみを非球面とする態様も可能である。
【００２４】
第３レンズ群Ｇ３は、全数値実施例１−５を通じて、物体側から順に、正レンズ３１及び負レンズ３２からなる。正レンズ３１はその両面が非球面からなり、負レンズ３２はその両面が非球面のプラスチックレンズからなる。但し、正レンズ３１と負プラスチックレンズ３２の物体側と像側のいずれか一方の面のみを非球面とする態様も可能である。
【００２５】
第４レンズ群Ｇ４は、全数値実施例１−５を通じて、その両面が非球面の正単レンズ４１からなる。正単レンズ４１はフォーカシング時に移動するフォーカシングレンズである。但し、正単レンズ４１の物体側と像側のいずれか一方の面のみを非球面とする態様も可能である。
【００２６】
本実施形態のズームレンズ系は、正負正正の４群構成を必須とした上で、長焦点距離端における全系の焦点距離に対する第１レンズ群Ｇ１の焦点距離（パワーバランス）を適切に設定することで、特に長焦点距離端における色収差を良好に補正して優れた光学性能を得るとともに、第１レンズ群Ｇ１ひいてはレンズ全系を小型化して収納時の薄型化とコストダウンを図っている。また、短焦点距離端から長焦点距離端への変倍に際する第２レンズ群Ｇ２の横倍率の変化、すなわち第２レンズ群Ｇ２が受け持つ変倍負担を適切に設定することで、半画角３５度以上の広角化と７〜１０倍程度の高変倍化を達成しながら、コマ収差を良好に補正して優れた光学性能を得ることができる。さらに、第１レンズ群Ｇ１を物体側から順に位置する負レンズ１１と正レンズ１２の２枚構成とし、この２枚の負レンズ１１と正レンズ１２として適切な硝材（ｄ線に対する屈折率、ｄ線に対するアッベ数）を選択することによっても、第１レンズ群Ｇ１ひいてはレンズ全系を小型化して収納時の薄型化とコストダウンを図っている。またフォーカスレンズ群である第４レンズ群Ｇ４を正単レンズ４１で構成することで、迅速なフォーカシングを図るとともに、フォーカス駆動系の負担を軽減することができる。
【００２７】
条件式（１）は、長焦点距離端における全系の焦点距離と、第１レンズ群Ｇ１の焦点距離との比を規定している。条件式（１）を満足することで、特に長焦点距離端でのレンズ全長を短縮化するとともに、色収差を良好に補正して優れた光学性能を得ることができる。
条件式（１）の上限を超えると、第１レンズ群Ｇ１のパワーが強くなりすぎて、特に色収差が過剰補正となって光学性能が劣化してしまい、また第１レンズ群Ｇ１の小型化が難しくなってしまう。
条件式（１）の下限を超えると、第１レンズ群Ｇ１のパワーが弱くなりすぎて、特に長焦点距離端でのレンズ全長が増大してしまう。
【００２８】
条件式（２）は、短焦点距離端から長焦点距離端への変倍に際する第２レンズ群Ｇ２の横倍率の変化、すなわち第２レンズ群Ｇ２が受け持つ変倍負担を規定している。条件式（２）を満足することで、半画角３５度以上の広角化と７〜１０倍程度の高変倍化を達成しながら、コマ収差を良好に補正して優れた光学性能を得ることができる。
条件式（２）の上限を超えると、第２レンズ群Ｇ２が受け持つ変倍負担が大きくなりすぎて、特にコマ収差が補正困難となって光学性能が劣化してしまう。
条件式（２）の下限を超えると、第２レンズ群Ｇ２が受け持つ変倍負担が小さくなりすぎて、高い変倍比が得られなくなる。
【００２９】
条件式（３）は、第１レンズ群Ｇ１の焦点距離と、第２レンズ群Ｇ２の焦点距離との比を規定している。条件式（３）を満足することで、半画角３５度以上の広角化と７〜１０倍程度の高変倍化を達成しながら、諸収差を良好に補正して優れた光学性能を得ることができる。
条件式（３）の上限を超えると、第１レンズ群Ｇ１のパワーに対する第２レンズ群Ｇ２のパワーが弱くなりすぎて、半画角３５度以上の広角化を達成するのが難しくなる。
条件式（３）の下限を超えると、第１レンズ群Ｇ１のパワーに対する第２レンズ群Ｇ２のパワーが強くなりすぎて、変倍比を確保するのに有利な反面、収差補正が困難になって光学性能が劣化してしまう。
【００３０】
条件式（４）は、第２レンズ群Ｇ２のパワーおよび変倍時における第１レンズ群Ｇ１と第２レンズ群Ｇ２の間隔変化を規定している。条件式（４）を満足することで、変倍時における第１レンズ群Ｇ１と第２レンズ群Ｇ２の間隔変化を抑えてレンズ全長を短縮化するとともに、コマ収差や倍率色収差を良好に補正して優れた光学性能を得ることができる。
条件式（４）の上限を超えると、第２レンズ群Ｇ２のパワーが強くなり特にコマ収差や倍率色収差の補正が不十分となって光学性能が劣化してしまう。
条件式（４）の下限を超えると、変倍時における第１レンズ群Ｇ１と第２レンズ群Ｇ２の間隔変化が大きくなって、第１レンズ群Ｇ１ひいてはレンズ全系が大型化してしまう。
【００３１】
上述したように、第１レンズ群Ｇ１は、全数値実施例１−５を通じて、物体側から順に、負レンズ１１及び正レンズ１２の２枚のレンズからなる。また数値実施例１、４のように、正レンズ１２の少なくとも一方の面を非球面とすることで、第１レンズ群Ｇ１のより一層の小型化（薄型化）を図ることができる。
【００３２】
条件式（５）は、第１レンズ群Ｇ１を上記のように構成した上で、第１レンズ群Ｇ１中の正レンズ１２のｄ線に対する屈折率を規定している。条件式（５）を満足することで、正レンズ１２を薄くして第１レンズ群Ｇ１を小型化（薄型化）することができる。条件式（５）の下限を超えると、正レンズ１２が厚くなって第１レンズ群Ｇ１が大型化してしまう。
【００３３】
条件式（６）は、第１レンズ群Ｇ１を上記のように構成した上で、第１レンズ群Ｇ１中の正レンズ１２のｄ線に対するアッベ数と、第１レンズ群Ｇ１中の負レンズ１１のｄ線に対するアッベ数との差を規定している。条件式（６）を満足することで、特に長焦点距離端で色収差を良好に補正して優れた光学性能を得ることができる。
条件式（６）の上限を超えると、特に長焦点距離端での色収差が過剰補正となって光学性能が劣化してしまう。
条件式（６）の下限を超えると、特に長焦点距離端での色収差が補正不足となって光学性能が劣化してしまう。
【００３４】
上述したように、第３レンズ群Ｇ３は、全数値実施例１−５を通じて、物体側から順に、少なくとも一方の面が非球面からなる正レンズ３１、及び少なくとも一方の面が非球面からなる負レンズ３２からなる。これにより、第３レンズ群Ｇ３の小型化（薄型化）を図ることができる。
【００３５】
条件式（７）は、第３レンズ群Ｇ３を上記のように構成した上で、短焦点距離端から長焦点距離端への変倍に際する第３レンズ群Ｇ３の横倍率の変化、すなわち第３レンズ群Ｇ３が受け持つ変倍負担を規定している。条件式（７）を満足することで、半画角３５度以上の広角化と７〜１０倍程度の高変倍化を達成しながら、コマ収差を良好に補正して優れた光学性能を得ることができる。
条件式（７）の上限を超えると、第３レンズ群Ｇ３が受け持つ変倍負担が大きくなりすぎて、特にコマ収差が補正困難となって光学性能が劣化してしまう。
条件式（７）の下限を超えると、第３レンズ群Ｇ３が受け持つ変倍負担が小さくなりすぎて、高い変倍化が得られなくなる。
【００３６】
条件式（８）は、第３レンズ群Ｇ３を上記のように構成した上で、第３レンズ群Ｇ３中の正レンズ３１のｄ線に対するアッベ数と、第３レンズ群Ｇ３中の負レンズ３２のｄ線に対するアッベ数との差を規定している。条件式（８）を満足することで、色収差を良好に補正して優れた光学性能を得ることができる。条件式（８）の下限を超えると、色収差が補正不足となって光学性能が劣化してしまう。
【００３７】
上述したように、第２レンズ群Ｇ２中の正レンズ２３と第３レンズ群Ｇ３中の負レンズ３２は、全数値実施例１−５を通じて、プラスチックレンズからなる。
条件式（９）はこの構成において、第２レンズ群Ｇ２中の正プラスチックレンズ２３の焦点距離と、第３レンズ群Ｇ３中の負プラスチックレンズ３２の焦点距離との比を規定している。条件式（９）を満足することで、温度変化時に正プラスチックレンズ２３と負プラスチックレンズ３２で発生した収差を相殺してピントずれを防止することができる。
条件式（９）の上限と下限のいずれを超えても、温度変化時に正プラスチックレンズ２３と負プラスチックレンズ３２で発生した収差を相殺するのが難しくなってピントずれが生じてしまう。
【実施例】
【００３８】
次に具体的な数値実施例１−５を示す。諸収差図及び表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、rは曲率半径、ｄはレンズ厚またはレンズ間隔、N(d)はｄ線に対する屈折率、νｄはｄ線に対するアッベ数、「E-a」は「×10-a」を示す。長さの単位は[mm]である。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数、ｘはサグ量）
【００３９】
［数値実施例１］
図１〜図４と表１〜表４は、本発明によるズームレンズ系の数値実施例１を示している。図１は長焦点距離端における無限遠合焦時のレンズ構成図、図２はその諸収差図であり、図３は短焦点距離端における無限遠合焦時のレンズ構成図、図４はその諸収差図である。表１は面データ、表２は各種データ、表３は非球面データ、表４はレンズ群データである。
【００４０】
本数値実施例１のズームレンズ系は、物体側から順に、正の屈折力の第１レンズ群Ｇ１、負の屈折力の第２レンズ群Ｇ２、正の屈折力の第３レンズ群Ｇ３、及び正の屈折力の第４レンズ群Ｇ４からなる。第２レンズ群Ｇ２と第３レンズ群Ｇ３の間に位置する絞りＳは、第３レンズ群Ｇ３と一体に移動する。第４レンズ群Ｇ４と像面Ｉとの間には、光学フィルタＯＰが配置されている。
【００４１】
第１レンズ群Ｇ１は、物体側から順に、物体側に凸の負メニスカスレンズ１１及び物体側に凸の正メニスカスレンズ１２からなる。正メニスカスレンズ１２はその両面が非球面からなる。
【００４２】
第２レンズ群Ｇ２は、物体側から順に、物体側に凸の負メニスカスレンズ２１、物体側に凸の負メニスカスレンズ２２、及び物体側に凸の正メニスカスレンズ２３からなる。正メニスカスレンズ２３はその両面が非球面のプラスチックレンズからなる。
【００４３】
第３レンズ群Ｇ３は、物体側から順に、両凸正レンズ３１及び物体側に凸の負メニスカスレンズ３２からなる。両凸正レンズ３１はその両面が非球面からなる。負メニスカスレンズ３２はその両面が非球面のプラスチックレンズからなる。
【００４４】
第４レンズ群Ｇ４は、その両面が非球面の両凸正単レンズ４１からなる。両凸正単レンズ４１はフォーカシング時に移動するフォーカシングレンズである。
【００４５】
（表１）
面データ
面番号          r          d          N(d)        νｄ
1            22.723      0.780      1.84666       23.8
2            16.852      0.310
3*           15.651      2.480      1.61800       63.4
4*          269.053        d4
5            22.441      0.470      1.83481       42.7
6             4.132      2.020
7            14.411      0.470      1.61800       63.4
8             6.117      0.050
9*            6.476      1.700      1.63548       23.9
10*          26.820       d10
11絞           ∞       0.200
12*           4.003      1.620      1.49710       81.6
13*         -12.736      0.050
14*           6.984      1.700      1.63548       23.9
15*           3.214       d15
16*          26.666      1.300      1.54358       55.7
17*         -29.879       d17
18             ∞        0.800      1.51680       64.2
19             ∞          -
＊は回転対称非球面である。
（表２）
各種データ
ズーム比（変倍比）   9.62
短焦点距離端          中間焦点距離          長焦点距離端
FNO.            3.4                   4.8                   6.7
f              4.60                 16.08                 44.27
W              37.2                  13.3                   5.0
Y              3.37                  3.88                  3.88
fB             1.65                  1.65                  1.65
L             34.72                 42.28                 55.00
d4            0.300                11.719                21.144
d10          12.455                 2.940                 0.100
d15           3.400                 5.056                15.678
d17           2.965                 6.970                 2.476
（表３）
非球面データ（表示していない非球面係数は0.00である）
面番号       K          A4            A6            A8
3         0.000   -0.1750E-04   -0.1237E-06   -0.2301E-08
4         0.000   -0.1401E-04   -0.1709E-06    0.1606E-08
9         0.000    0.2249E-03   -0.1111E-03    0.1460E-04
10        0.000   -0.8637E-03   -0.9834E-04    0.1277E-04
12       -1.000   -0.3418E-03    0.3990E-03   -0.1998E-03
13        0.000   -0.1579E-02   -0.7945E-03    0.1327E-03
14        0.000   -0.5273E-03   -0.1631E-02    0.4786E-03
15        0.000    0.2303E-02   -0.1294E-02    0.5303E-03
16        0.000   -0.1432E-03   -0.1051E-03    0.8066E-05
17        0.000   -0.1263E-03   -0.1151E-03    0.7676E-05
面番号                 A10           A12
3                  0.5245E-10
4                  0.2222E-10
9                 -0.5240E-06
10                -0.6455E-06
12                 0.2107E-04
13
14                -0.5838E-04    0.4479E-05
15                -0.8508E-04    0.5920E-05
16                -0.2855E-06
17                -0.2431E-06
（表４）
レンズ群データ
群          始面          焦点距離
1              1             40.57
2              5             -6.94
3             12              8.70
4             16             26.13
【００４６】
［数値実施例２］
図５〜図８と表５〜表８は、本発明によるズームレンズ系の数値実施例２を示している。図５は長焦点距離端における無限遠合焦時のレンズ構成図、図６はその諸収差図であり、図７は短焦点距離端における無限遠合焦時のレンズ構成図、図８はその諸収差図である。表５は面データ、表６は各種データ、表７は非球面データ、表８はレンズ群データである。
【００４７】
この数値実施例２のレンズ構成は、以下の点を除いて、数値実施例１のレンズ構成と同様である。
（１）第１レンズ群Ｇ１の正レンズ１２がその両面が球面の（非球面ではない）両凸正レンズからなる。
（２）第２レンズ群Ｇ２の負レンズ２１が両凹負レンズからなる。
（３）第４レンズ群Ｇ４の正単レンズ４１が物体側に凸の正メニスカス単レンズからなる。
【００４８】
（表５）
面データ
面番号          r          d          N(d)        νｄ
1            17.299      0.800      1.92286       20.9
2            13.713      0.260
3            14.627      2.280      1.61800       63.4
4          -423.462        d4
5          -164.230      0.500      1.83481       42.7
6             4.611      1.630
7            29.888      0.500      1.61800       63.4
8             6.700      0.050
9*            6.257      1.800      1.63548       23.9
10*          85.303       d10
11絞           ∞       0.600
12*           4.180      1.660      1.49710       81.6
13*          -8.496      0.330
14*           8.480      1.430      1.63548       23.9
15*           3.417       d15
16*          12.507      1.310      1.54358       55.7
17*          85.772       d17
18             ∞        0.800      1.51680       64.2
19             ∞          -
＊は回転対称非球面である。
（表６）
各種データ
ズーム比（変倍比）   6.76
短焦点距離端          中間焦点距離          長焦点距離端
FNO.            3.4                   4.6                   6.5
f              4.80                 12.50                 32.45
W              39.5                  17.0                   6.6
Y              3.37                  3.88                  3.88
fB             1.65                  1.65                  1.65
L             32.73                 36.88                 48.20
d4            0.350                 6.918                14.189
d10          10.315                 3.231                 0.400
d15           3.400                 5.292                15.446
d17           3.060                 5.836                 2.564
（表７）
非球面データ（表示していない非球面係数は0.00である）
面番号       K          A4            A6            A8
9         0.000   -0.2859E-03   -0.3778E-04    0.3012E-05
10        0.000   -0.8776E-03   -0.9115E-05   -0.3947E-06
12       -1.000   -0.4533E-03   -0.7159E-04   -0.5794E-05
13        0.000    0.2146E-02   -0.8127E-03   -0.3373E-04
14        0.000    0.2123E-02   -0.1133E-02    0.1103E-03
15        0.000    0.2058E-02   -0.1289E-02    0.5296E-03
16        0.000    0.1854E-03   -0.5284E-04    0.6119E-06
17        0.000    0.1612E-03   -0.5340E-04   -0.2284E-06
面番号                 A10           A12
9                 -0.1630E-06
10                -0.9183E-07
12                -0.1429E-04
13
14                -0.2289E-04    0.3372E-05
15                -0.1302E-03    0.1245E-04
16                -0.4949E-07
17                -0.9607E-08
（表８）
レンズ群データ
群          始面          焦点距離
1              1             32.93
2              5             -6.38
3             12              8.54
4             16             26.77
【００４９】
［数値実施例３］
図９〜図１２と表９〜表１２は、本発明によるズームレンズ系の数値実施例３を示している。図９は長焦点距離端における無限遠合焦時のレンズ構成図、図１０はその諸収差図であり、図１１は短焦点距離端における無限遠合焦時のレンズ構成図、図１２はその諸収差図である。表９は面データ、表１０は各種データ、表１１は非球面データ、表１２はレンズ群データである。
【００５０】
この数値実施例３のレンズ構成は、以下の点を除いて、数値実施例１のレンズ構成と同様である。
（１）第１レンズ群Ｇ１の正メニスカスレンズ１２の両面が球面である（非球面ではない）。
（２）第４レンズ群Ｇ４の正単レンズ４１が物体側に凸の正メニスカス単レンズからなる。
【００５１】
（表９）
面データ
面番号          r          d          N(d)        νｄ
1            18.664      0.800      1.84666       23.8
2            14.094      0.220
3            14.592      2.810      1.61800       63.4
4           507.399        d4
5           121.641      0.500      1.83481       42.7
6             4.663      1.760
7            21.221      0.500      1.61800       63.4
8             5.843      0.050
9*            5.359      1.880      1.63548       23.9
10*          22.372       d10
11絞           ∞       0.600
12*           4.283      1.730      1.49710       81.6
13*          -8.369      0.070
14*           8.070      1.520      1.63548       23.9
15*           3.499       d15
16*          12.568      1.310      1.54358       55.7
17*          52.182       d17
18             ∞        0.800      1.51680       64.2
19             ∞          -
＊は回転対称非球面である。
（表１０）
各種データ
ズーム比（変倍比）   7.70
短焦点距離端          中間焦点距離          長焦点距離端
FNO.            3.3                   4.6                   6.0
f              4.60                 16.00                 35.40
W              40.9                  13.3                   6.1
Y              3.37                  3.88                  3.88
fB             1.65                  1.65                  1.65
L             33.78                 41.25                 51.35
d4            0.355                11.265                17.590
d10          10.841                 2.415                 0.400
d15           3.400                 4.273                14.415
d17           2.981                 7.099                 2.741
（表１１）
非球面データ（表示していない非球面係数は0.00である）
面番号       K          A4            A6            A8
9         0.000   -0.5665E-03   -0.1612E-04    0.1215E-05
10        0.000   -0.9788E-03    0.2425E-04   -0.3068E-05
12       -1.000   -0.5079E-03   -0.3683E-03    0.9995E-06
13        0.000    0.5211E-03   -0.1227E-02    0.4434E-04
14        0.000    0.8153E-03   -0.9962E-03    0.8682E-04
15        0.000    0.2352E-02   -0.1476E-02    0.8419E-03
16        0.000   -0.6896E-04   -0.1973E-04   -0.2364E-05
17        0.000   -0.4013E-04   -0.2177E-04   -0.3151E-05
面番号                 A10           A12
9                 -0.1553E-06
10                -0.2241E-07
12                -0.1331E-04
13
14                -0.6532E-05    0.2334E-05
15                -0.2392E-03    0.2685E-04
16                 0.5700E-07
17                 0.9404E-07
（表１２）
レンズ群データ
群          始面          焦点距離
1              1             37.07
2              5             -6.35
3             12              8.39
4             16             30.11
【００５２】
［数値実施例４］
図１３〜図１６と表１３〜表１６は、本発明によるズームレンズ系の数値実施例４を示している。図１３は長焦点距離端における無限遠合焦時のレンズ構成図、図１４はその諸収差図であり、図１５は短焦点距離端における無限遠合焦時のレンズ構成図、図１６はその諸収差図である。表１３は面データ、表１４は各種データ、表１５は非球面データ、表１６はレンズ群データである。
【００５３】
この数値実施例４のレンズ構成は、以下の点を除いて、数値実施例１のレンズ構成と同様である。
（１）第４レンズ群Ｇ４の正単レンズ４１が物体側に凸の正メニスカス単レンズからなる。
【００５４】
（表１３）
面データ
面番号          r          d          N(d)        νｄ
1            18.975      0.800      1.94594       18.0
2            14.969      0.250
3*           16.017      1.960      1.69680       55.5
4*          148.464        d4
5           113.636      0.500      1.80420       46.5
6             4.612      1.610
7            15.594      0.500      1.59349       67.0
8             5.689      0.050
9*            5.182      1.750      1.63548       23.9
10*          15.385       d10
11絞           ∞       0.600
12*           3.887      1.750      1.49710       81.6
13*          -8.022      0.130
14*           9.177      1.290      1.60641       27.2
15*           3.409       d15
16*          12.330      1.290      1.52538       56.3
17*          26.637       d17
18             ∞        0.800      1.51680       64.2
19             ∞          -
＊は回転対称非球面である。
（表１４）
各種データ
ズーム比（変倍比）   6.79
短焦点距離端          中間焦点距離          長焦点距離端
FNO.            3.5                   5.1                   6.7
f              4.80                 16.00                 32.59
W              39.5                  13.3                   6.7
Y              3.37                  3.88                  3.88
fB             1.65                  1.65                  1.65
L             32.44                 39.27                 49.00
d4            0.350                10.234                15.724
d10          10.863                 2.555                 0.400
d15           3.100                 3.855                13.175
d17           3.196                 7.700                 4.771
（表１５）
非球面データ（表示していない非球面係数は0.00である）
面番号       K          A4            A6            A8
3         0.000   -0.5444E-05    0.6039E-07
4         0.000   -0.1142E-04    0.9888E-07
9         0.000   -0.7496E-03   -0.3708E-04    0.3947E-05
10        0.000   -0.1205E-02    0.6898E-05   -0.3910E-07
12       -1.000   -0.4739E-03   -0.5626E-04   -0.9074E-06
13        0.000    0.1750E-02   -0.8290E-03   -0.2484E-04
14        0.000    0.1598E-02   -0.1091E-02    0.1137E-03
15        0.000    0.2161E-02   -0.1135E-02    0.5605E-03
16        0.000   -0.5789E-04   -0.4503E-04    0.6533E-06
17        0.000   -0.1668E-04   -0.4709E-04   -0.3431E-06
面番号                 A10           A12
3
4
9                 -0.2769E-06
10                -0.1818E-06
12                -0.1562E-04
13
14                -0.2193E-04    0.3496E-05
15                -0.1304E-03    0.1227E-04
16                 0.3344E-07
17                 0.7715E-07
（表１６）
レンズ群データ
群          始面          焦点距離
1              1             38.09
2              5             -6.59
3             12              8.22
4             16             42.38
【００５５】
［数値実施例５］
図１７〜図２０と表１７〜表２０は、本発明によるズームレンズ系の数値実施例５を示している。図１７は長焦点距離端における無限遠合焦時のレンズ構成図、図１８はその諸収差図であり、図１９は短焦点距離端における無限遠合焦時のレンズ構成図、図２０はその諸収差図である。表１７は面データ、表１８は各種データ、表１９は非球面データ、表２０はレンズ群データである。
【００５６】
この数値実施例５のレンズ構成は、以下の点を除いて、数値実施例１のレンズ構成と同様である。
（１）第１レンズ群Ｇ１の正レンズ１２がその両面が球面の（非球面ではない）両凸正レンズからなる。
（２）第２レンズ群Ｇ２の負レンズ２１が像側に凹の平凹負レンズからなる。
（３）第４レンズ群Ｇ４の正単レンズ４１が物体側に凸の正メニスカス単レンズからなる。
【００５７】
（表１７）
面データ
面番号          r          d          N(d)        νｄ
1            22.512      0.780      1.84666       23.8
2            16.744      0.320
3            18.588      2.530      1.61800       63.4
4          -137.504        d4
5              ∞        0.480      1.77250       49.6
6             4.854      2.000
7           263.570      0.470      1.61800       63.4
8             8.868      0.050
9*            6.725      1.740      1.63548       23.9
10*          34.579       d10
11絞           ∞       0.600
12*           4.076      1.700      1.55332       71.7
13*         -23.116      0.050
14*          23.074      1.700      1.63548       23.9
15*           5.448       d15
16*          12.100      1.400      1.54358       55.7
17*         150.781       d17
18             ∞        0.800      1.51680       64.2
19             ∞          -
＊は回転対称非球面である。
（表１８）
各種データ
ズーム比（変倍比）   10.00
短焦点距離端          中間焦点距離          長焦点距離端
FNO.            3.3                   4.8                   6.6
f              4.60                 16.08                 46.00
W              40.3                  13.2                   4.7
Y              3.37                  3.88                  3.88
fB             1.65                  1.65                  1.65
L             36.40                 46.99                 61.40
d4            0.350                11.854                21.523
d10          12.247                 3.401                 0.550
d15           3.400                 8.498                19.952
d17           4.134                 6.970                 3.104
（表１９）
非球面データ（表示していない非球面係数は0.00である）
面番号       K          A4            A6            A8
9         0.000   -0.5210E-04   -0.6492E-05   -0.3322E-06
10        0.000   -0.2898E-03    0.1777E-04   -0.2402E-05
12       -1.000   -0.1451E-03    0.3147E-04   -0.4416E-04
13        0.000    0.1757E-03   -0.8547E-03    0.7099E-04
14        0.000    0.4071E-02   -0.1264E-02    0.2214E-03
15        0.000    0.7434E-02   -0.6030E-03    0.1923E-03
16        0.000    0.4920E-03   -0.1124E-03    0.6095E-05
17        0.000    0.5280E-03   -0.1193E-03    0.5790E-05
面番号                 A10           A12
9                  0.7420E-07
10                 0.1443E-06
12                 0.3448E-06
13
14                -0.1812E-04    0.1387E-05
15                 0.2940E-05   -0.2938E-05
16                -0.1564E-06
17                -0.1371E-06
（表２０）
レンズ群データ
群          始面          焦点距離
1              1             40.01
2              5             -6.73
3             12              9.74
4             16             24.12
【００５８】
各数値実施例の各条件式に対する値を表２１に示す。
（表２１）
実施例１   実施例２   実施例３   実施例４   実施例５
条件式（１）   1.09       0.99       0.96       0.86       1.15
条件式（２）   3.07       2.33       2.66       2.15       3.18
条件式（３）  -5.84      -5.16      -5.83      -5.78      -5.95
条件式（４）  -3.21      -3.12      -2.84      -2.91      -3.18
条件式（５）   1.62       1.62       1.62       1.70       1.62
条件式（６）  39.61      42.51      39.61      37.48      39.61
条件式（７）   3.06       2.83       2.86       3.30       2.97
条件式（８）  57.66      57.66      57.66      54.36      47.78
条件式（９）  -1.15      -1.04      -0.95      -1.18      -1.10
【００５９】
以上の説明および諸収差図から明らかなように、数値実施例１〜５では諸収差が比較的よく補正されている。
【符号の説明】
【００６０】
Ｇ１  正の屈折力の第１レンズ群
１１  負レンズ
１２  正レンズ
Ｇ２  負の屈折力の第２レンズ群
２１  負レンズ
２２  負レンズ
２３  正レンズ（正プラスチックレンズ）
Ｇ３  正の屈折力の第３レンズ群
３１  正レンズ
３２  負レンズ（負プラスチックレンズ）
Ｇ４  正の屈折力の第４レンズ群
４１  正単レンズ
Ｓ  絞り
ＯＰ  光学フィルタ
Ｉ  像面
【図１】
2014137524.tif 000003
【図２】
2014137524.tif 000004
【図３】
2014137524.tif 000005
【図４】
2014137524.tif 000006
【図５】
2014137524.tif 000007
【図６】
2014137524.tif 000008
【図７】
2014137524.tif 000009
【図８】
2014137524.tif 000010
【図９】
2014137524.tif 000011
【図１０】
2014137524.tif 000012
【図１１】
2014137524.tif 000013
【図１２】
2014137524.tif 000014
【図１３】
2014137524.tif 000015
【図１４】
2014137524.tif 000016
【図１５】
2014137524.tif 000017
【図１６】
2014137524.tif 000018
【図１７】
2014137524.tif 000019
【図１８】
2014137524.tif 000020
【図１９】
2014137524.tif 000021
【図２０】
2014137524.tif 000022
【図２１】
2014137524.tif 000023